(57)【要約】【課題】遠隔制御装置により目標電力になるように空調機その他の機器を制御する場合において、空調機以外の機器の負荷変動により目標電力を超えるおそれがある条件下で緊急に空調機を通常動作させたい場合に対応できなかった。【解決手段】遠隔制御装置１は、電力計測手段４、目標電力入力手段５、電力調整時間設定手段６、電力調整解除手段７、電力調整手段８とを備え、電力調整解除手段により電力調整制御を一時解除された場合に、電力調整時間設定手段による設定時間終了後、電力調整制御に復帰することにより、電力消費機器の電力消費が目標電力になるので、消費電力の超過を防止しながら空調機を動作させ得る。【選択図】図１ 
2005140445.tif 000002
【特許請求の範囲】
【請求項１】
複数台の電力消費機器と、電力消費機器が消費した電力量を計測する電力計測手段と、目標電力を入力する目標電力入力手段と、前記電力消費機器を目標電力となるように制御を行なう電力調整手段と、前記電力調整手段による目標電力の制御単位時間を設定する電力調整時間設定手段と、前記電力調整手段による電力消費機器の制御中に中断を行う電力調整解除手段とを備えた遠隔操作装置であって、前記電力調整手段は、前記電力調整時間設定手段による時間ごとに前記電力消費機器を前記目標電力入力手段により設定された電力となるように電力調整を行い、その制御途中において電力調整解除手段により電力調整制御を一時的に解除された場合は、電力調整制御を中止し、前記電力調整時間設定手段による時間終了まで電力調整制御を停止し、解除停止後に電力調整制御を復帰させることを特徴とする遠隔制御装置。
【請求項２】
電力調整復帰手段を設け、前記電力調整復帰手段による復帰入力指令があった場合には、直ちに電力調整制御を復帰させることを特徴とする、請求項１記載の遠隔制御装置。
【請求項３】
電力調整復帰タイマーを設け、電力調整解除手段により電力調整制御を解除すると共に、電力調整復帰タイマーが計時を開始し、電力調整解除から所定時間を経過したときに、電力調整手段は電力調整解除を中止し、電力調整制御に復帰させることを特徴とする、請求項１記載の遠隔制御装置。
【請求項４】
電力調整解除中に複数台の電力消費機器の運転台数が所定の台数以下となったときに電力調整手段は電力調整解除を中止し、電力調整制御に復帰させることを特徴とする、請求項１〜３のいずれかに記載の遠隔制御装置。
【請求項５】
電力調整手段は電力調整解除中に目標電力を超過すると判断した場合に、直ちに電力調整制御解除を中止し、電力調整制御に復帰させることを特徴とする、請求項１〜３のいずれかに記載の遠隔制御装置。
【発明の詳細な説明】
【技術分野】
【０００１】
本発明は、機器の遠隔制御装置に関するものである。
【背景技術】
【０００２】
従来、この種の遠隔制御装置では、例えば図４に記載された遠隔制御装置があった。同図において、電力量に対する発信装置付電力量計１０９からのパルス信号を信号線１１１を介して入力するパルス信号入力部１０４と、パルス信号から電力を計算する電力算出手段１０５と、この電力算出手段１０５の信号をシリアル信号に変換し中央装置１０１からのシリアル制御信号をパラレル信号に変換するパラレル・シリアル変換手段１０６と、このパラレル・シリアル変換手段１０６からの信号と中央装置１０１からの制御信号を入出力するシリアル信号入出力部１０７と、中央装置１０１からの制御信号をパラレル・シリアル変換手段１０６を介して入力し空調機１１０を制御する制御信号出力部１０８とを備えた複数の端末機１０３を設け端末機１０３は中央装置１０１と伝送線１０２を介して接続され中央装置１０１は端末機１０３からの電力算出手段１０５のシリアル信号を受け電力を集計し空調機１１０の制御命令を出していた（例えば、特許文献１参照）。
【特許文献１】特開昭６２−２２９５０号公報
【発明の開示】
【発明が解決しようとする課題】
【０００３】
しかしながら、上記従来の構成では、最大需要電力を削減するために遠隔制御装置により電力算出手段１０５からの電力計測値をもとに目標電力になるように空調機１１０を制御していた。この場合、制御対象機器の空調機１１０が全て制御した状態において、空調機１１０以外の機器の負荷変動や外気温の変動により目標電力を超えるおそれがある場合で、緊急に空調機を通常動作させたい場合に対応できないという課題を有していた。
【０００４】
本発明は、上記従来の課題を解決するものであり、複数台の電力消費機器の最大需要電力が目標電力になるように電力消費機器を所定時間毎に電力調整運転を行っている最中に、電力消費機器の負荷の増加により電力調整制御を一時的に解除したときの、電力調整制御への復帰手段を備えた遠隔制御装置を提供するものである。
【課題を解決するための手段】
【０００５】
上記課題を解決するため、本発明の遠隔制御装置は、複数台の電力消費機器と、電力消費機器が消費した電力量を計測する電力計測手段と、目標電力を入力する目標電力入力手段と、前記電力消費機器を目標電力となるように制御を行なう電力調整手段と、前記電力調整手段による目標電力の制御単位時間を設定する電力調整時間設定手段と、前記電力調整手段による電力消費機器の制御中に中断を行う電力調整解除手段とを備えた遠隔操作装置であって、前記電力調整手段は、前記電力調整時間設定手段による時間ごとに前記電力消費機器を前記目標電力入力手段により設定された電力となるように電力調整を行い、その制御途中において電力調整解除手段により電力調整制御を一時的に解除された場合は、電力調整制御を中止し、前記電力調整時間設定手段による時間終了まで電力調整制御を停止し、解除停止後に電力調整制御を復帰させるものである。
【０００６】
この構成をなすことによって、電力調整制御の解除継続による消費電力の増加を防止することができることになる。
【発明の効果】
【０００７】
本発明の遠隔制御装置は、複数台の電力消費機器の最大需要電力が目標電力になるように発停あるいは能力制御中に、空調機等の電力消費機器が負荷変動により一時的に電力調整制御を解除した後、再びその電力調整制御に復帰させることにより、解除継続による最大需要電力の超過を抑えることができ、解除の中止操作の忘れを防止することも可能である。また、電力調整制御解除操作の誤操作による目標電力の超過を防止できる。
【０００８】
さらに、目標電力の範囲内で運転を維持しながら電力調整制御の解除を行い、最適な電力調整制御の実現と、空調機等の制御においては空調空間における快適性の維持も図ることができる。
【発明を実施するための最良の形態】
【０００９】
第１の発明は、複数台の電力消費機器と、電力消費機器が消費した電力量を計測する電力計測手段と、目標電力を入力する目標電力入力手段と、前記電力消費機器を目標電力となるように制御を行なう電力調整手段と、前記電力調整手段による目標電力の制御単位時間を設定する電力調整時間設定手段と、前記電力調整手段による電力消費機器の制御中に中断を行う電力調整解除手段とを備えた遠隔操作装置であって、前記電力調整手段は、前記電力調整時間設定手段による時間ごとに前記電力消費機器を前記目標電力入力手段により設定された電力となるように電力調整を行い、その制御途中において電力調整解除手段により電力調整制御を一時的に解除された場合は、電力調整制御を中止し、前記電力調整時間設定手段による時間終了まで電力調整制御を停止し、解除停止後に電力調整制御を復帰させることを特徴とする遠隔制御装置。
【００１０】
第２の発明は、電力調整復帰手段を設け、前記電力調整復帰手段による復帰入力指令があった場合には、直ちに電力調整制御を復帰させるものである。
【００１１】
この構成をなすことによって、電力調整制御解除の中止を任意に行うことが出来るので、負荷増加に伴う電力調整制御解除の継続と、その継続中止による電力調整制御の復帰を電力調整復帰手段により行い、負荷増加による電力の一時対応と、その対応後の消費電力の増加を防止とすることができる。
【００１２】
第３の発明は、電力調整復帰タイマーを設け、電力調整解除手段により電力調整制御を解除すると共に、電力調整復帰タイマーが計時を開始し、電力調整解除から所定時間を経過したときに、電力調整手段は電力調整解除を中止し、電力調整制御に復帰させるものである。
【００１３】
この構成をなすことによって、電力調整制御の解除を、電力調整復帰タイマーにて自動的に解除を行うことが出来るので、電力調整制御解除の継続による電力負荷の増加を防止とすることができる
第４の発明は、電力調整解除中に複数台の電力消費機器の運転台数が所定の台数以下となったときに電力調整手段は電力調整解除を中止し、電力調整制御に復帰させるものである。
【００１４】
この構成をなすことによって、電力調整制御解除の継続による電力負荷の増加を防止する事ができる。
第５の発明は、電力調整手段は電力調整解除中に目標電力を超過すると判断した場合に、直ちに電力調整制御解除を中止し、電力調整制御に復帰させるものである。
【００１５】
この構成をなすことによって、電力調整制御解除の継続による電力負荷の増加を防止とするとともに、電力調整時間内における消費電力を抑えることができる。
【００１６】
以下、本発明の実施の形態について図面を参照しながら説明する。なお、この実施の形態によって本発明が限定されるものではない。
【００１７】
（実施の形態１）
図１は、本発明の実施の形態１における遠隔制御装置１のブロック図を示すものである。同図において、遠隔制御装置１は、電力計測手段４、目標電力入力手段５、電力調整時間設定手段６、電力調整解除手段７、電力調整手段８、複数台の電力消費機器２Ａ、２Ｂ、・・・、２Ｎからなる。目標電力入力手段５は、最大需要電力を削減するための目標電力（例：１００ｋＷ）を入力する。電力計測手段４は、前記電力消費機器２Aから２Nの消費電力を計測する。電力調整時間設定手段６は、電力消費機器２の電力を計測する時間を入力（例：電力調整時間３０分）し、電力調整時間（３０分）ごとの平均電力が目標電力と比較される。電力調整手段８は、電力調整時間設定手段６で設定された時間ごとに運転時の消費電力合計（例：１１０ｋＷ）が目標電力（例：１００ｋＷ）になるように信号線３を介して複数の前記電力消費機器２へ発停あるいは能力制御信号を送り、順次発停あるいは能力制御を行う。
【００１８】
以上のように構成された遠隔制御装置は、電力計測手段４により計測された消費電力から、複数台の電力消費機器２を、目標電力入力手段５により入力された目標電力になるように複数台の電力消費機器２を電力調整時間設定手段６で設定された時間ごとに順次発停あるいは能力制御し、電力調整解除手段７により電力調整解除が指示された場合には、電力調整制御を一時解除し、電力調整時間設定手段６よる設定時間となるまで解除を継続し、その後は再び電力調整制御を行うものである。
【００１９】
したがって、通常時における電力調整制御中に、空調機負荷の急激は変動が発生し、電力調整制御を一時解除する必要が発生した場合に対応し、解除の中止は電力調整時間終了とし、再び電力調整を始めるので、目標電力の調整制御は継続される。
【００２０】
尚、目標電力入力手段５、電力調整時間設定手段６、電力調整解除手段７への入力はパソコンの他、キー入力手段とマウス入力手段とタッチパネル入力手段のいずれかと画面を持つ入力手段を使用しても良い。
【００２１】
（実施の形態２）
図２は、本発明の実施の形態２における遠隔制御装置のブロック図である。同図において、図１と同じ構成要素については同じ符号を用い説明を省略する。
【００２２】
前記電力調整解除手段７による電力調整解除を中止する電力調整復帰手段９を有し、目標電力入力手段５により電力消費機器２の利用可能な目標電力（例：９ｋＷ）を入力し、電力調整手段８は、前記電力調整時間設定手段６で設定された時間ごとに運転時の消費電力合計（例：１１０ｋＷ）が目標電力（例：１００ｋＷ）になるように信号線３を介して複数の電力消費機器２の該当する機器へ運転停止信号を送り、順次発停あるいは能力制御を行い、目標電力になるように電力消費機器２を発停あるいは能力制御するものである。
【００２３】
遠隔制御装置１は、電力計測手段４、電力調整復帰手段９、電力調整時間設定手段６、電力調整手段８から構成されている。以降この動作を繰り返す。
【００２４】
以上のように構成された遠隔制御装置は、電力計測手段４により計測された複数台の電力消費機器２の消費電力が、目標電力入力手段５により入力された目標電力になるように複数台の電力消費機器２を、前記電力調整時間設定手段６で設定された時間ごとに電力調整制御を行うが、電力調整解除手段７により電力調整解除が指示された場合には、電力調整制御を一時解除する。その後、電力調整復帰手段９による復帰信号が入力されるまで電
力調整制御解除を継続し、その後は再び電力調整制御を行うものである。したがって、通常時における電力調整制御中に、空調機負荷の急激な変動が発生し、長時間電力調整制御を一時解除する必要が発生した場合に対応するもので、解除の中止は電力調整復帰信号が入力されたときまで行い、その後は再び電力調整を始めるので目標電力の調整制御は継続される。
【００２５】
尚、前記電力調整復帰手段９への入力はパソコンの他、キー入力手段とマウス入力手段とタッチパネル入力手段のいずれかと画面を持つ入力手段を使用しても良い。
【００２６】
（実施の形態３）
図３は、本発明の実施の形態３における遠隔制御装置のブロック図である。同図において、図１と同じ構成要素については同じ符号を用い説明を省略する。
【００２７】
電力調整復帰タイマー１０を有し、複数台の電力消費機器２を、前記電力調整時間設定手段６で設定された時間ごとに電力調整制御を行うが、電力調整解除手段７により電力調整解除が指示された場合には、電力調整制御を一時解除し、電力調整復帰タイマー１０による設定時間となるまで解除を継続し、その後は再び電力調整制御をおこなう。遠隔制御装置１は、前記電力計測手段４、前記目標電力入力手段５、前記電力調整時間設定手段６、前記電力調整手段８、前記電力調整復帰タイマー１０から構成されている。以降この動作を繰り返す。
【００２８】
以上のように構成された遠隔制御装置は、電力計測手段４により計測された複数台の電力消費機器２の消費電力が、目標電力入力手段５により入力された目標電力になるように複数台の電力消費機器２を、前記電力調整時間設定手段６で設定された時間ごとに電力調整制御を行うが、電力調整解除手段７により電力調整解除が指示された場合には、電力調整制御を一時解除する。
【００２９】
その後、電力調整復帰手段９による復帰信号が入力されるまで電力調整制御解除を継続し、その後は再び電力調整制御を行うものである。したがって、通常時における電力調整制御中に、空調機負荷の急激な変動が発生し、長時間電力調整制御を一時解除する必要が発生した場合に対応するもので、解除の中止は電力調整復帰タイマー１０からの電力調整復帰信号が入力されたときまで行い、その後は再び電力調整を始めるので、解除忘れが無く確実に目標電力の調整制御は継続される。
【００３０】
尚、前記電力調整復帰タイマー１０への入力はパソコンの他、キー入力手段とマウス入力手段とタッチパネル入力手段のいずれかと画面を持つ入力手段を使用しても良い。
【００３１】
（実施の形態４）
図１は、本発明の実施の形態４における遠隔制御装置のブロック図である。
電力調整手段８は、複数台の電力消費機器２を、前記電力調整時間設定手段６で設定された時間ごとに信号線３を介し、順次電力消費機器２の発停あるいは能力制御により電力調整制御を行うが、電力調整解除手段７により電力調整解除が指示された場合には、電力調整制御の一時解除を行う。遠隔制御装置１は、前記電力計測手段４、前記目標電力入力手段５、前記電力調整時間設定手段６、前記電力調整手段８から構成されている。以降この動作を繰り返す。
【００３２】
以上のように構成された遠隔制御装置は、電力調整解除手段７により電力調整解除が指示された場合には、電力調整制御の一時解除を行いそのまま継続するが、消費電力機器の運転台数が所定の台数以下になると、電力調整制御解除を中止し、再び電力調整制御を行う。
【００３３】
したがって、急な電力消費機器の運転等による電力調整制御の解除がなされてから、その後の消費電力機器の運転台数が所定台数以下になったとき、電力調整解除が終了したと判断し、電力調整制御を再開させるものである。
【００３４】
（実施の形態５）
図１は、本発明の実施の形態５における遠隔制御装置のブロック図である。
【００３５】
電力調整手段８は、複数台の電力消費機器２を、前記電力調整時間設定手段６で設定された時間ごとに信号線３を介し、順次電力消費機器２の発停あるいは能力制御により電力調整制御を行うが、電力調整解除手段７により電力調整解除が指示された場合には、電力調整制御の一時解除を行う。遠隔制御装置１は、前記電力計測手段４、前記目標電力入力手段５、前記電力調整時間設定手段６、前記電力調整手段８から構成されている。以降この動作を繰り返す。
【００３６】
以上のように構成された遠隔制御装置は、電力調整制御が電力調整解除手段により解除された後も電力消費機器２の消費電力が目標電力を超えないように、空調機の消費電力が目標電力を超過すると判断した場合に、電力調整制御の解除を中止する。
【００３７】
したがって、電力調整制御の一時解除を行っても、目標電力を超過することがないのである。
【産業上の利用可能性】
【００３８】
以上のように、本発明にかかる遠隔制御装置は、電力消費機器の電力調整制御解除の継続による消費電力の増加を防止することが可能となるので、電力消費機器の電力を調整するデマンド監視装置等の用途にも応用できる。
【図面の簡単な説明】
【００３９】
【図１】本発明の実施の形態１及び４及び５におけるブロック図
【図２】本発明の実施の形態２におけるブロック図
【図３】本発明の実施の形態３におけるブロック図
【図４】従来の遠隔制御装置におけるブロック図
【符号の説明】
【００４０】
１  遠隔制御装置
２  電力消費機器
３  信号線
４  電力計測手段
５  目標電力入力手段
６  電力調整時間設定手段
７  電力調整解除手段
８  電力調整手段
９  電力調整復帰手段
１０  電力調整復帰タイマー
【図１】
2005140445.tif 000003
【図２】
2005140445.tif 000004
【図３】
2005140445.tif 000005
【図４】
2005140445.tif 000006